(57)【特許請求の範囲】
【請求項１】
底面に吸込開口を有する吸込口体と、
前記吸込口体から塵埃を吸い込む電動送風機と、
前記吸込口体から吸い込まれた塵埃を収容する集塵室とを有しており、前記吸込口体の上部に設けられた掃除機本体と、
前記掃除機本体に着脱自在に接続されており、使用者が保持する把手部を有するパイプ部と、
一端が前記掃除機本体に接続され、他端が前記パイプ部に接続されるとともに、前記パイプ部と前記集塵室とを連通する集塵ホースと、
前記掃除機本体の上面に設けられ、使用者が当該掃除機本体を保持するための本体把手部と、
前記掃除機本体に前記本体把手部と併設されて設けられ、前記パイプ部が装着される接続開口と、
前記接続開口の一部に突出して設けられたガイド部と、を備え、
前記ガイド部は、前記接続開口と前記本体把手部との間で、かつ前記本体把手部より上方に突出させて設けた電気掃除機。
【請求項２】
前記本体把手部の上面には、前記接続開口に接続された前記パイプ部と前記掃除機本体との係合を解除する解除レバーが設けられ、
前記ガイド部は、前記接続開口と前記解除レバーとの間で、かつ前記解除レバーより上方に突出させて設けた請求項１に記載の電気掃除機。
【請求項３】
底面に吸込開口を有する吸込口体と、
前記吸込口体から塵埃を吸い込む電動送風機と、
前記吸込口体から吸い込まれた塵埃を収容する集塵室とを有しており、前記吸込口体の上部に設けられた掃除機本体と、
前記掃除機本体に着脱自在に接続されており、使用者が保持する把手部を有するパイプ部と、
一端が前記掃除機本体に接続され、他端が前記パイプ部に接続されるとともに、前記パイプ部と前記集塵室とを連通する集塵ホースと、
前記掃除機本体に設けられており、前記パイプ部が装着される接続開口の一部に突出して設けられたガイド部と、を備え、
前記ガイド部は、前記掃除機本体に接続された前記集塵ホースの接続部と相対する側の接続開口の一部に突出させて設けた電気掃除機。
【発明の詳細な説明】
【技術分野】
【０００１】
本発明は、掃除機本体に伸縮自在のパイプ手段を有する電気掃除機に関する。
【背景技術】
【０００２】
使用者の生活空間の塵埃を掃除する電気掃除機の分野においては、使用者の使い勝手を向上させるべく、様々な構成が提案されてきた。
【０００３】
例えば、縦型の電気掃除機においては、使用者が生活空間の掃除を行った後、電気掃除機を収納する際に、パイプを多段階に収納し、本体内部に収納する構成を有する電気掃除機が提案されている。
【０００４】
このようなパイプを多段階に収納し、本体内部に収納する電気掃除機としては、例えば、図８に示す構成を有する電気掃除機が知られている（例えば特許文献１参照）。
【０００５】
すなわち、図８に示した従来の電気掃除機は、掃除機本体５０の上面に連結管５５を取り付けるための連結管取付部６０を有しており、この連結管取付部６０に第１連結管５７の一端を取り付けることにより、手元ハンドル組品５２と掃除機本体５０とを連結させる構成となっていた。
【先行技術文献】
【特許文献】
【０００６】
【特許文献１】特開２００８−８００４３号公報
【発明の概要】
【発明が解決しようとする課題】
【０００７】
しかしながら、上述の特許文献１に記載の従来の電気掃除機であっても、手元ハンドル組品と掃除機本体との連結を容易に行うという観点からは未だ改善の余地があった。
【０００８】
すなわち、上述の特許文献１に記載の電気掃除機では、手元ハンドル５６（操作パイプ）の握り部５９（把手部）を片方の手で握り、もう片方の手で連結管取付部６０が設けられた掃除機本体５０上部或いは掃除機本体５０上部に設けられた本体把手部を握り、手元ハンドル５６を連結管取付部６０に挿入する。そのため、手元ハンドル５６が長い場合、手元ハンドル５６の先端が振れて、連結管取付部６０の位置と手元ハンドル５６の先端とを合わせるのが非常に困難で、手元ハンドル５６を掃除機本体５０の連結管取付部６０になかなかうまく挿入できないという課題を有していた。
【０００９】
本発明は、上記従来技術の有する課題に鑑みてなされたものであり、操作パイプを掃除機本体に容易に挿入することができ、使用者の使い勝手のよい電気掃除機を提供することを目的とする。
【課題を解決するための手段】
【００１０】
上記従来技術の課題を解決するために、本発明は、
底面に吸込開口を有する吸込口体と、
前記吸込口体から塵埃を吸い込む電動送風機と、
前記吸込口体から吸い込まれた塵埃を収容する集塵室とを有しており、前記吸込口体の上部に設けられた掃除機本体と、
前記掃除機本体に着脱自在に接続されており、使用者が保持する把手部を有するパイプ部と、
一端が前記掃除機本体に接続され、他端が前記パイプ部に接続されるとともに、前記パイプ部と前記集塵室とを連通する集塵ホースと、
前記掃除機本体の上面に設けられ、使用者が当該掃除機本体を保持するための本体把手部と、
前記掃除機本体に前記本体把手部と併設されて設けられ、前記パイプ部が装着される接続開口と、
前記接続開口の一部に突出して設けられたガイド部と、を備え、
前記ガイド部は、前記接続開口と前記本体把手部との間で、かつ前記本体把手部より上方に突出させて設けた電気掃除機を提供する。
【００１３】
これにより、接続開口と本体把手部の間に突出したガイド部にパイプ部の先端を宛がい位置合わせをすることにより容易にパイプ部を本体の接続開口に挿入することができるとともに、使用者が本体把手部を手で握っていたり、手を置いていたりした場合は、手にパイプ部の先端が当たるのを突出したガイド部によって防止することが出来るものである。
【００１４】
さらに、本発明の電気掃除機においては、前記本体把手部の上面には、前記接続開口に接続された前記パイプ部と前記掃除機本体との係合を解除する解除レバーが設けられ、
前記ガイド部は、前記接続開口と前記解除レバーとの間で、かつ前記解除レバーより上方に突出させて設けられていることが好ましい。
【００１５】
これにより、接続開口と解除レバーの間に突出したガイド部にパイプ部の先端を宛がい位置合わせをすることにより容易にパイプ部を掃除機本体の接続開口に挿入することができるとともに、使用者が解除レバー部に手を置いていたりした場合は、手にパイプ部の先端が当たるのを突出したガイド部によって防止することが出来るものである。
【００１８】
さらに、本発明の電気掃除機においては、ガイド部は、掃除機本体に接続された集塵ホースの接続部と相対する側の接続開口の一部に突出させて設けられたことが好ましい。
【００１９】
これにより、本体に接続された集塵ホースの他端側、つまりはパイプ部の先端側に接続開口の一部に突出させて設けたガイド部が位置することとなり、突出したガイド部にパイプ部の先端を宛がい位置合わせをすることにより容易にパイプ部を本体の接続開口に挿入することができる。
【発明の効果】
【００２０】
本発明の電気掃除機によれば、パイプ部を本体に容易に挿入することができ、使用者の使い勝手のよい電気掃除機を提供することができるようになる。
【図面の簡単な説明】
【００２１】
【図１】本発明の電気掃除機の第１実施形態における掃除機本体の収納状態を示した斜視図
【図２】本発明の電気掃除機の第１実施形態における吸込口体による床面の掃除を行う場合を示した斜視図
【図３】（Ａ）本発明の電気掃除機の第１実施形態における第２パイプ部の断面図、（Ｂ）本発明の電気掃除機の第１実施形態における摺動連結体部分の拡大断面図
【図４】本発明の電気掃除機の第１実施形態における操作パイプを収納した第２パイプを掃除機本体から取り外して掃除を行う場合を示した斜視図
【図５】本発明の電気掃除機の第２実施形態における掃除機本体の接続開口部を示した斜視図
【図６】本発明の電気掃除機の第２実施形態における掃除機本体の部分側面図
【図７】本発明の電気掃除機の第３実施形態における掃除機本体の部分側面図
【図８】従来の電気掃除機の概略構成図
【発明を実施するための形態】
【００２２】
以下、図面を参照しながら本発明の電気掃除機の好適な実施形態について詳細に説明する。なお、以下の説明では、同一または相当部分には同一符号付し、重複する説明は省略する。
【００２３】
（第１実施形態）
図１は、本発明の電気掃除機の第１実施形態における掃除機本体の収納状態を示した斜視図である。また、図２は、本発明の電気掃除機の第１実施形態における吸込口体による床面の掃除を行う場合を示した斜視図である。さらに、図３（Ａ）は、本発明の電気掃除機の第１実施形態における第２パイプ部の断面図であり、図３（Ｂ）は、本発明の電気掃除機の第１実施形態における摺動連結体部分の拡大断面図である。また、図４は、本発明の電気掃除機の第１実施形態における操作パイプを収納した第２パイプを掃除機本体から取り外して掃除を行う場合を示した斜視図である。
【００２４】
図１〜図２に示すように、電気掃除機１００は、主として、吸込口体１と、掃除機本体２と、パイプ部（図示せず）と、集塵ホース９とから構成されている。また、パイプ部（図示せず）は、操作パイプ（第１パイプ）３と、第２パイプ１１と、小径パイプ（第３パイプ）１６とから構成されている。
【００２５】
吸込口体１には、その底面に吸込開口（図示せず）が設けられており、内部に吸込室（図示せず）が形成されている。また、吸込口体１の後部には、回転管４が前後左右に回動自在に設けられている。この回転管４は、一端が吸込口体１の吸込室（図示せず）に連通されており、他端が後述する掃除機本体２の下部に設けられている接続部５に接続されている。
【００２６】
掃除機本体２は、主として、集塵室６と、電動送風機７とから構成されている。
【００２７】
集塵室６は、掃除機本体２の内部に着脱自在に設けられており、この集塵室６には、集塵フィルタ（図示せず）が着脱自在に装着されている。
【００２８】
電動送風機７は、掃除機本体２の内部の下部に設けられており、この電動送風機７を動作させることにより、集塵室６内が負圧となり、吸込口体１から塵埃が吸込まれる。また、電動送風機７により吸引された空気は、電動送風機７のモータ内を通って、このモータを冷却する。モータを冷却した空気は掃除機本体２に設けた排気孔（図示せず）から外へ排気される。
【００２９】
掃除機本体２の上部には、使用者が掃除機本体２を保持するための取手８が一体的に設けられている。この取手８の前方には、後述する第２パイプ１１を掃除機本体２に接続す
るための接続開口１３が設けられている。
【００３０】
また、取手８の上面には、接続開口１３に接続された第２パイプ１１と掃除機本体２との係合を解除するための解除レバー１５が設けられている。
【００３１】
図４に示すように、接続開口１３の解除レバー１５側には、接続開口１３の一部に突出形成されたガイド部２３が設けられている。これにより、使用者が、第２パイプ１１を掃除機本体２に収納する場合、掃除機本体２を立てた状態で掃除機本体２の接続開口１３の一部に突出形成されたガイド部２３に操作パイプ３、つまりは小径パイプ１６の先端を宛がい位置合わせをすることにより容易に操作パイプ３を本体の接続開口１３に挿入することができる。
【００３２】
また、掃除機本体２の上部には、電動送風機７の電源スイッチ（操作スイッチ）２１が設けられている。
【００３３】
さらに、掃除機本体２の下部には、回転管４を接続する接続部５が設けられており、この接続部５は、集塵室６に連通している。
【００３４】
集塵ホース９は、一端が掃除機本体２の上部に接続されており、他端が後述する操作パイプ３の後端部に接続されている。この集塵ホース９は、掃除機本体２内の集塵室６に連通している。
【００３５】
操作パイプ３の後部には、使用者が操作パイプ３を保持するための把手部１０が設けられている。また、操作パイプ３の後端部には、集塵ホース９が接続されており、他端には第２パイプ１１が接続されている。
【００３６】
図３に示すように、操作パイプ３は、第２パイプ１１に進退可能に接続されており、操作パイプ３の一部が第２パイプ１１の内部に収納されるように構成されている。また、第２パイプ１１の他端には、第３パイプである小径パイプ１６が接続されている。
【００３７】
この第２パイプ１１の操作パイプ３側には、摺動連結部１７が設けられており、この摺動連結部１７には、弾性体であるバネ２２により支持された伸縮動作ボタン１８が設けられている。
【００３８】
この構成により、第２パイプ１１内を操作パイプ３が摺動移動し、第２パイプ１１が進退するもので、使用者が、伸縮動作ボタン１８を押すと、操作パイプ３の摺動移動が可能となる。また、使用者が、伸縮動作ボタン１８の押圧を解除すると操作パイプ３はその位置でロックされるようになっている。
【００３９】
また、摺動連結体１７は、第２パイプ１１及び操作パイプ３が掃除機本体２に装着された状態では掃除機本体２の接続開口１３から外部に露出するように構成されている。したがって、摺動連結体１７に設けられた伸縮動作ボタン１８は掃除機本体２の外郭の一部として本体の前面側に露出した構成となる。
【００４０】
さらに、摺動連結部１７の掃除機本体２側には、第２パイプ１１を掃除機本体２に係合するための取付凹部１２が設けられており、第２パイプ１１を掃除機本体２の接続開口１３に差し込むことにより、取付凹部１２と接続開口１３内に設けられている係合突出部（図示せず）とが係合され、第２パイプ１１が掃除機本体２の長手方向のほぼ全域に装着される。この取付凹部１２と係合突出部（図示せず）との係合は、解除レバー１５を引くことにより解除される。
【００４１】
小径パイプ１６は、第２パイプ１１内に摺動可能に挿入されており、第２パイプ１１内部で操作パイプ３と連通している。また、この小径パイプ１６は、操作パイプ３内に収納されるように構成されている。
【００４２】
小径パイプ１６と第２パイプ１１との連結部分には、摺動連結部１９が設けられており、この摺動連結部１９には、ボタン２０が設けられている。このボタン２０を使用者が押すことにより、小径パイプ１６の摺動移動が可能となり、小径パイプ１６が第２パイプ１１内を摺動移動することにより、第２パイプ１１が更に伸縮する。また、使用者がボタン２０の押圧を解除すると、小径パイプ１６はその位置でロックされるようになっている。
【００４３】
ここで、第２パイプ１１を掃除機本体２の接続開口１３に差し込んだ状態においては、第２パイプ１１の先端部は、掃除機本体２の内部で密封されており、吸込口体１と集塵室６とが、回転管４及び接続部５を介して連通されるように構成されている。
【００４４】
また、第２パイプ１１を掃除機本体２から取り外した状態においては、吸込口体１から集塵室６に至る流路は遮断され、小径パイプ１６から、第２パイプ１１、操作パイプ３、及び集塵ホース９を介して集塵室６に至る流路が連通されるように構成されている。
【００４５】
以上のように構成された電気掃除機について、以下その動作、作用を説明する。
【００４６】
図２に示すように、吸込口体１による床面の掃除を行う場合、使用者が、伸縮動作ボタン１８を押して第２パイプ１１の内部に収納された操作パイプ３を伸長させ、操作パイプ３を使用者の使い易い長さにし、電源スイッチ２１をオンにすると、電動送風機７が駆動され、集塵室６の空気が電動送風機７により吸引される。この吸引により集塵室６が負圧となり、この負圧が回転管４および吸込口体１の吸込室に作用し、吸込室の吸込開口から空気とともに塵埃が吸引される。吸込室に吸引された空気および塵埃は、回転管４を介して掃除機本体２の集塵室６へ吸引され、塵埃が集塵フィルタに集塵される。
【００４７】
このとき、使用者は、図２に示すように操作パイプ３の把手部１０を持って掃除機本体２を前後に移動させれば床面などの掃除が行える。また、第２パイプ１１を掃除機本体２の接続開口１３に差し込んだ状態においては、第２パイプ１１の先端部は、掃除機本体２の内部で密封されている。
【００４８】
また、図４に示すように、操作パイプ３が収納された第２パイプ１１を掃除機本体２から取り外して掃除を行う場合、使用者が、掃除機本体２を立てた状態で掃除機本体２の上部に設けた解除レバー１５を引くことにより、取付凹部１２と係合突出部とのロックが解除され、操作パイプ３が収納された第２パイプ１１を掃除機本体２から取外すことができる。その後、使用者は、伸縮動作ボタン１８及びボタン２０を押圧し、操作パイプ３及び小径パイプ１６を、使用者の使い易い長さにし、掃除を行う。
【００４９】
このとき、第２パイプ１１を掃除機本体２から取り外した状態においては、吸込口体１から集塵室６に至る流路は遮断されているため、小径パイプ１６の先端部から吸引された空気および塵埃は、第２パイプ１１、操作パイプ３、及び集塵ホース９を介して掃除機本体２の集塵室６へ吸引される。
【００５０】
使用者が掃除を終了し、操作パイプ３及び小径パイプ１６を第２パイプ１１内に収納し、第２パイプ１１を掃除機本体２内に収納する場合、掃除機本体２を立てた状態で掃除機本体２の接続開口１３の一部に突出形成されたガイド部２３に操作パイプ３、つまりは小径パイプ１６の先端を宛がい、位置合わせをし、第２パイプ１１を掃除機本体２内に収納
する。この構成により、使用者は容易に操作パイプ３を掃除機本体２の接続開口１３に挿入することが出来る。
【００５１】
また、図２に示すように、第２パイプ１１の摺動連結体１７は、第２パイプ１１が掃除機本体２に装着された状態において、掃除機本体２の接続開口１３から外部に露出した状態となるため、第２パイプ１１が掃除機本体２に装着された状態においては、伸縮動作ボタン１８は掃除機本体２の外郭に露出した状態となる。これにより、第２パイプ１１が掃除機本体２に収納された状態において、第２パイプ１１に設けた伸縮動作ボタン１８が本体外郭に露出しているため、使用者は、操作パイプ３の把手部１０を片方の手で握り、もう片方の手で掃除機本体２側を保持しながら同時に伸縮動作ボタン１８を操作することができる。したがって、使用者は、ワンタッチ（１回の動作）で操作パイプ３を掃除機本体２から伸縮できる。
【００５２】
さらに、図４に示すように、第２パイプ１１を掃除機本体２から取り外して掃除を行う場合においても、操作パイプ３には、伸縮自在に伸びる第２パイプ１１が設けられており、第２パイプ１１に伸縮動作ボタン１８が設けられていることにより、使用者は操作パイプ３の把手部１０を片方の手で握り、もう片方の手で伸縮させる第２パイプ１１を保持しながら同時に伸縮動作ボタン１８を操作することができるので、ワンタッチ（１回の動作）で伸縮操作を行うことができる。
【００５３】
また、図２に示すように吸込口体１による床面の掃除を行う場合や図４に示すように操作パイプ３が収納された第２パイプ１１を掃除機本体２から取り外して掃除を行う両方の場合において、上記伸縮動作ボタン１８を弾性体であるバネ２２によって支持された押しボタン構成としている為、伸縮動作ボタンがスライド操作式ボタン等であった場合には、掃除機本体２を握って保持する或いは第２パイプ１１を握って保持する操作と同時に伸縮動作ボタンをスライドさせる操作を行うことは出来ないが、伸縮動作ボタン１８をバネ２２による押しボタン構成としたことにより、掃除機本体２を握って保持する操作或いは第２パイプ１１を握って保持する操作、つまり握るという１回の動作で同時に伸縮動作ボタン１８の操作を行うことができ、操作パイプ３、第２パイプ、及び小径パイプ１６の伸縮動作を容易に行うことができる。
【００５４】
（第２実施形態）
本発明の第２実施形態について、図５及び図６を用いて説明する。なお、第１実施形態と同一部分については同一符号を付してその説明を省略する。
【００５５】
図５は、本発明の電気掃除機の第２実施形態における掃除機本体の接続開口部を示した斜視図である。また、図６は、本発明の電気掃除機の第２実施形態における掃除機本体の部分側面図である。
【００５６】
図５及び図６に示すように、接続開口１３、取手８、解除レバー１５、及び集塵ホース９の接続部が、掃除機本体２の上面に前方から後方に向かって一直線上に併設されており、解除レバー１５と接続開口１３との間に突出するガイド部２３が設けられている。
【００５７】
この構成により、接続開口１３と取手８との間に突出したガイド部２３が設けられた構成となるため、接続開口１３と取手８との間に突出したガイド部２３に操作パイプ３の先端つまりは小径パイプ１６の先端を宛がい位置合わせをすることにより容易に操作パイプ３を本体の接続開口１３に挿入することができる。
【００５８】
また、使用者が取手８を手で握っていたり、取手８に手を置いていたりした場合は、手に操作パイプ３の先端つまりは小径パイプ１６の先端が当たるのを突出したガイド部２３
によって防止することができる。
【００５９】
さらに、上述の構成においては、接続開口１３と解除レバー１５の間に突出するガイド部２３が設けられた構成ともなるため、接続開口１３と解除レバー１５の間に突出したガイド部２３に操作パイプの先端つまりは小径パイプ１６の先端を宛がい位置合わせをすることにより容易に操作パイプ３を本体の接続開口１３に挿入することができる。また、使用者が解除レバー１５部に手を置いていたりした場合は、手に操作パイプの先端つまりは小径パイプ１６の先端が当たるのを突出したガイド部２３によって防止することができる。
【００６０】
（第３実施形態）
本発明の第３実施形態について、図７を用いて説明する。なお、第１実施形態及び第２実施形態と同一部分については同一符号を付してその説明を省略する。
【００６１】
図７は、本発明の電気掃除機の第３実施形態における掃除機本体の部分側面図である。
【００６２】
図７に示すように、接続開口１３、取手８、解除レバー１５、及び集塵ホース９の接続部が、掃除機本体２の上面に前方から後方に向かって一直線上に併設されており、ガイド部２３は、掃除機本体２に接続された集塵ホース９の接続部と相対する側（掃除機本体２の前方側）の接続開口１３の一部に突出させて設けられている。
【００６３】
この構成により、操作パイプ３の先端つまりは小径パイプ１６の先端側の前方に接続開口１３の一部に突出させて設けたガイド部２３が位置することとなり、ガイド部２３に操作パイプ３の先端つまりは小径パイプ１６の先端を宛がい位置合わせをすることにより容易に操作パイプ３を本体の接続開口１３に挿入することが出来るものである。
【００６４】
以上、本発明の第１実施形態〜第３実施形態の電気掃除機について説明したが、本発明の電気掃除機は上述した第１実施形態〜第３実施形態の電気掃除機に限定されるものではない。
【００６５】
例えば、本発明の第１実施形態〜第３実施形態の電気掃除機については、パイプ部（図示せず）は操作パイプ３と、第２パイプ１１と、小径パイプ１６とから構成されており、操作パイプ３及び小径パイプ１６を第２パイプ１１内に収納し、第２パイプ１１を掃除機本体２内に収納する構成について説明したが、パイプ部の構成及びパイプの収納方法等は、これに限定されるのもではなく、パイプを掃除機本体２内に収納する構成であればよい。
【００６６】
また、本発明の第１実施形態〜第３実施形態の電気掃除機については、ガイド部２３が、掃除機本体２に設けられた接続開口１３と取手８との間、掃除機本体２に設けられた接続開口１３と解除レバー１５との間、掃除機本体２に設けられた接続開口１３と集塵ホース９との間、及び、掃除機本体２に接続された集塵ホース９の接続部と相対する側（掃除機本体２の前方側）のうちの何れかの接続開口１３の一部に設けられた構成について説明したが、ガイド部２３は、接続開口１３の一部に設けられていればよく、本発明の電気掃除機はこれに限定されるものではない。
【００６７】
例えば、掃除機本体２に設けられた接続開口１３と取手８との間、及び掃除機本体２に接続された集塵ホース９の接続部と相対する側（掃除機本体２の前方側）の両方に設けられていてもよい。
【００６８】
これにより、接続開口１３と取手８との間に突出したガイド部２３に操作パイプ３の先
端つまりは小径パイプ１６の先端を宛がい位置合わせをすることにより容易に操作パイプ３を本体の接続開口１３に挿入することができる。また、使用者が取手８を手で握っていたり、取手８に手を置いていたりした場合は、手に操作パイプ３の先端つまりは小径パイプ１６の先端が当たるのを突出したガイド部２３によって防止することができる。さらに、掃除機本体２に接続された集塵ホース９の接続部と相対する側（掃除機本体２の前方側）の接続開口１３の一部に突出させて設けたガイド部２３に操作パイプ３の先端つまりは小径パイプ１６の先端を宛がい位置合わせをすることにより容易に操作パイプ３を本体の接続開口１３に挿入することもできる。
【００６９】
また同様に、ガイド部２３は、掃除機本体２に設けられた接続開口１３と解除レバー１５との間、及び掃除機本体２に接続された集塵ホース９の接続部と相対する側（掃除機本体２の前方側）の両方に設けられていてもよい。
【００７０】
これにより、接続開口１３と解除レバー１５の間に突出したガイド部２３に操作パイプの先端つまりは小径パイプ１６の先端を宛がい位置合わせをすることにより容易に操作パイプ３を本体の接続開口１３に挿入することができる。また、使用者が解除レバー１５部に手を置いていたりした場合は、手に操作パイプの先端つまりは小径パイプ１６の先端が当たるのを突出したガイド部２３によって防止することができる。さらに、掃除機本体２に接続された集塵ホース９の接続部と相対する側（掃除機本体２の前方側）の接続開口１３の一部に突出させて設けたガイド部２３に操作パイプ３の先端つまりは小径パイプ１６の先端を宛がい位置合わせをすることにより容易に操作パイプ３を本体の接続開口１３に挿入することもできる。
【００７１】
さらに、掃除機本体２に設けられた接続開口１３と集塵ホース９との間、及び掃除機本体２に接続された集塵ホース９の接続部と相対する側（掃除機本体２の前方側）の両方に設けられていてもよい。
【００７２】
これにより、接続開口１３と集塵ホース９との間突出したガイド部２３に操作パイプの先端つまりは小径パイプ１６の先端を宛がい位置合わせをすることにより容易に操作パイプ３を本体の接続開口１３に挿入することができる。また、掃除機本体２に接続された集塵ホース９の接続部と相対する側（掃除機本体２の前方側）の接続開口１３の一部に突出させて設けたガイド部２３に操作パイプ３の先端つまりは小径パイプ１６の先端を宛がい位置合わせをすることにより容易に操作パイプ３を本体の接続開口１３に挿入することもできる。
【産業上の利用可能性】
【００７３】
本発明の電気掃除機は、接続開口の一部に突出したガイド部に第１パイプの先端を宛がい位置合わせをすることにより容易に第１パイプを本体の接続開口に挿入することが出来るため、家庭、業務用等の電気掃除機の分野・用途に好適に適用することができる。
【符号の説明】
【００７４】
２  掃除機本体
３  操作パイプ（第１パイプ）
１０  把手部
１１  第２パイプ
１６  小径パイプ（第３パイプ）
１７  摺動連結体
１９  摺動連結部
３０  第２パイプ
【図１】
0005482103.tif 000002
【図２】
0005482103.tif 000003
【図３】
0005482103.tif 000004
【図４】
0005482103.tif 000005
【図８】
0005482103.tif 000006
【図５】
0005482103.tif 000007
【図６】
0005482103.tif 000008
【図７】
0005482103.tif 000009